(57)【要約】【課題】記録層のデジタルデータに影響を及ぼすことなく安全にインデックス情報を書き換えることができるリライタブル層を備えたディスク状記録媒体を提供する。【解決手段】記録データが書き換え可能に記録されたディスク状記録媒体１において、記録データが記録された記録層３と、記録層３が設けられた面２ａと反対側の面２ｂに接着剤層１３を介して貼着されたリライタブル層４を備え、リライタブル層４は、ベースフィルム１０と、ベースフィルム１０上に形成されたロイコ染料層１１と、ロイコ染料層１１を保護する保護層１２とからなる。【選択図】図１
2006302432.tif 000002
【特許請求の範囲】
【請求項１】
記録データが書き換え可能に記録されたディスク状記録媒体において、
記録データが記録された記録層と、
上記記録層が設けられた面と反対側の面に接着剤層を介して貼着されたリライタブル層を備え、
上記リライタブル層は、ベースフィルムと、該ベースフィルム上に形成されたロイコ染料層と、該ロイコ染料層を保護する保護層とからなることを特徴とするディスク状記録媒体。
【請求項２】
上記接着剤層は、アクリル系のホットメルト型接着剤が加熱溶融されてなることを特徴とする請求項１記載のディスク状記録媒体。
【請求項３】
相変化型の光ディスク又は光磁気ディスクであることを特徴とする請求項１記載のディスク状記録媒体。
【請求項４】
ディスク本体の記録データが書き換え可能に記録された記録層が設けられた面と反対側の面に、ベースフィルム上にロイコ染料層及び該ロイコ染料層を保護する保護層が形成されたリライタブルラベルが貼着されたディスク状記録媒体の製造方法において、
上記ディスク本体を加熱しながら保持するとともに、上記ロイコ染料層が形成された面と反対側の面に接着剤が塗布された上記ベースフィルムを上記ディスク本体の上記記録層が形成された面と反対側の面と対向させて上記リライタブルラベルを上記ディスク本体上に重ね、
上記リライタブルラベルを上記ディスク本体側に熱加圧して貼着するディスク状記録媒体の製造方法。
【請求項５】
上記接着剤は、アクリル系のホットメルト型接着剤であることを特徴とする請求項４記載のディスク状記録媒体の製造方法。
【発明の詳細な説明】
【技術分野】
【０００１】
本発明は、データの書き換えが可能なディスク状記録媒体及びかかるディスク状記録媒体の製造方法に関する。
【背景技術】
【０００２】
従来より、書き換え可能光ディスクである、ＤＶＤ−ＲＷ（digital versatile disc-ReWritable）、ＤＶＤ＋ＲＷ（DVD+ReWritable）及びＤＶＤ−ＲＡＭ（DVD-Random Access Memory）とこれら各種光ディスクに対応した記録再生装置が製品化され、一般ユーザーが任意に各種データを記録、消去、書き換えを行えるようになった。
【０００３】
これら光ディスクに記録されているデータ内容を確認するには、記録再生装置に装着して実際に光ディスク内のデータを再生する方法があるが、同種で記録されている光ディスクが多数ある場合、いちいち光ディスクを装着して確認するのは煩わしい。そのため、光ディスクを記録再生装置に装着しなくても記録データ内容の概要を目視により確認が行えるよう、各記録可能光ディスクには文字などの記入欄を設けているのが一般的である。
【０００４】
ＤＶＤ−ＲＡＭは、通常時は光ディスクがカートリッジ内に格納されており、カートリッジ上に設けられたシール式レーベル貼付け領域に、記録内容を記したレーベルを貼付けるようになっている。一方、ＤＶＤ−ＲＷ、ＤＶＤ＋ＲＷは、光ディスクが剥き出しであるため片面記録の場合は、記録面と反対側にある印刷面に直接油性フェルトペンで記入することが指定されている。これは、鉛筆など先端が鋭利な筆記具を用いると記入時の局所的圧力により内部の記録層に歪が生じ、結果記録データの読出しが不可能になる恐れがあるからである。
【０００５】
ところで、書き換え可能光ディスクでは、記録データの消去、書き換えが可能であるため、記録データ内容は変更される。そのため、記録データ内容変更前にレーベル、印刷面に記入した内容を実際の記録データ内容に対応して変更するのが望ましい。ＤＶＤ−ＲＡＭにおいては、変更後の内容を記したシール式レーベルに張り替えることにより対応できるが、ＤＶＤ−ＲＷ、ＤＶＤ＋ＲＷでは、油性フェルトペンで記入した個所を拭取ることは困難であるので、書き換えは不可能である。
【０００６】
上記のようにＤＶＤ−ＲＷ、ＤＶＤ＋ＲＷでは、記録データの変更は可能であるが、印刷面記入内容の変更ができないため、結果記録データの消去、書き換えを繰返すと記録データ内容と印刷面記入内容の不一致が生じ、ユーザーに混乱を招くことになる。また、現状では、印刷面への記入は記録装置外に光ディスクを取り出した状態で行うが、同じ光ディスクメーカー、型番の光ディスクが多数ある場合、印刷面記入をすべき光ディスクと他の光ディスクと取り違える恐れがある。
【０００７】
このような事情に鑑み、ＤＶＤ−ＲＷ、ＤＶＤ＋ＲＷ等の光ディスクが剥き出し状態の書き換え可能光ディスクに記録されたデータに対応したインデックス情報をディスクのインデックス情報印刷面に書き換え可能に記録することができる書き換え可能光ディスク及び書き換え可能光ディスク記録再生装置が提案されている。
【０００８】
この種の書き換え可能光ディスクは、例えばＤＶＤ−ＲＷ又はＤＶＤ＋ＲＷが用いられ、デジタル情報が記録される記録面と、記録面以外の領域に形成された感熱式リライタブル層とを備える。感熱式リライタブル層は、ディスク本体の記録面と反対側の面にロイコ染料層及びロイコ染料を保護する保護層が積層されることにより形成される。そしてリライタブル層に画像や文字等の光ディスクに記録された情報の内容を書き込む際には、記録再生装置に設けられたサーマルヘッドバーを感熱式リライタブル層の上部へ位置させ、ロイコ染料を加熱、冷却することにより、ロイコ染料を発色又は消色させて各種情報を消去、変更することができる。
【０００９】
このような感熱式リライタブル層を備えた書き換え可能光ディスクは、ディスク本体の記録面と反対側の面にロイコ染料が塗布、乾燥されてロイコ染料層を形成した後、ロイコ染料層を保護する保護剤が塗布、乾燥されることにより保護層が形成される。
【００１０】
【特許文献１】特開２００３−３４１１４７号公報
【発明の開示】
【発明が解決しようとする課題】
【００１１】
かかる感熱式リライタブル層を用いた記録データ情報の消去、書き換えは、サーマルヘッドバーを感熱式リライタブル層上に配置しロイコ染料層を加熱、冷却することにより行われる。しかし、この記録データ情報の消去、書き換えの際、サーマルヘッドバーによる熱が記録面に伝達しデジタル記録された記録層に影響を与える可能性がある。すなわち、ＤＶＤ−ＲＷ、ＤＶＤ＋ＲＷ等の光ディスクでは、記録面内部の記録層を構成する相変化材料をレーザ光によって加熱、冷却することによって結晶相あるいは非結晶相に変化させ、デジタル情報を記録している。結晶相から非結晶相に変化させるためには、相変化材料を融点まで加熱した後に、急速冷却する。逆に非結晶相から結晶相に変化させるためには、融点以下の温度まで加熱した後、徐々に冷却する。
【００１２】
したがって、ロイコ染料の発色、消色の際にサーマルヘッドバーによる加熱工程によって記録層まで熱が伝達されると、相変化材料が変化することによりデジタルデータを書き換えてしまうおそれがある。
【００１３】
そこで、本発明は、ＤＶＤ−ＲＷ、ＤＶＤ＋ＲＷ等の光ディスクが剥き出し状態の書き換え可能光ディスクに記録されたデータに対応したインデックス情報をディスクのインデックス情報印刷面に書き換え可能に記録することができる書き換え可能なディスク状記録媒体において、記録層のデジタルデータに影響を及ぼすことなく安全にインデックス情報を書き換えることができるリライタブル層を備えたディスク状記録媒体を提供することを目的とする。
【００１４】
また、かかるリライタブル層を形成する際にリライタブルラベルを加熱することで、リライタブル層側と記録層側とで温度差が生じることによってディスク本体に反りが発生する場合がある。本発明は、かかるリライタブル層を形成することにより生じる反りを防止することができるディスク状記録媒体の製造方法を提供することを目的とする。
【課題を解決するための手段】
【００１５】
上述した課題を解決するために、本発明に係るディスク状記録媒体は、記録データが書き換え可能に記録されたディスク状記録媒体において、記録データが記録された記録層と、上記記録層が設けられた面と反対側の面に接着剤層を介して貼着されたリライタブル層を備え、上記リライタブル層は、ベースフィルムと、該ベースフィルム上に形成されたロイコ染料層と、該ロイコ染料層を保護する保護層とからなるものである。
【００１６】
また、本発明に係るディスク状記録媒体の製造方法は、ディスク本体の記録データが書き換え可能に記録された記録層が設けられた面と反対側の面に、ベースフィルム上にロイコ染料層及び該ロイコ染料層を保護する保護層が形成されたリライタブルラベルが貼着されたディスク状記録媒体の製造方法において、上記ディスク本体を加熱しながら保持するとともに、上記ロイコ染料層が形成された面と反対側の面に接着剤が塗布された上記ベースフィルムを上記ディスク本体の上記記録層が形成された面と反対側の面と対向させて上記リライタブルラベルを上記ディスク本体上に重ね、上記リライタブルラベルを上記ディスク本体側に熱加圧して貼着するものである。
【発明の効果】
【００１７】
このような本発明に係るディスク状記録媒体によれば、インデックス情報の書き換えの際、ロイコ染料の発色、消色に加熱冷却を行うが、ロイコ染料層と記録層との間に粘着材及びベースフィルムを備えるため、ロイコ染料層の消色あるいは顕色のために加えられた熱を断熱することができる。したがって、本ディスク状記録媒体は、記録層に熱が伝達されることがなく、記録層に記録されたデジタル情報に悪影響を与えることなくリライタブル層のインデックス情報を書き換えることができる。
【００１８】
また、本発明に係るディスク状記録媒体の製造方法によれば、ディスク本体を加熱しておくことにより、リライタブルラベルとディスク本体との間の温度差が少なくなるため、リライタブルラベル側が膨張することによるディスク状記録媒体の反りを防止することができる。
【発明を実施するための最良の形態】
【００１９】
以下、本発明に係るディスク状記録媒体及びこのディスク状記録媒体の製造方法について、図面を参照しながら詳細に説明する。本実施例では、書き換え可能なディスク状記録媒体として、片面記録型のＤＶＤ−ＲＷ（以下、光ディスク１という。）を例に説明する。図１は、本発明が適用された光ディスク１の平面図と、該平面図のＸ−Ｘ断面図である。
【００２０】
光ディスク１は、ポリカーボネート樹脂を基材とする厚さ０．６ｍｍの基板を貼り合わせて形成されたディスク本体２を備え、ディスク本体２の記録面２ａ側には結晶相から非結晶相への相変化を可逆的に示す金属化合物からなる記録層３が形成されている。光ディスク１は、この記録層３に強いレーザビームＬを当てて急熱急冷させて、結晶状態の記録層にアモルファス状態の箇所を作ることによってデータ記録を行う。記録層３は、アモルファス状態の箇所に弱いレーザビームを当てて除熱除冷させて再び結晶状態に戻すことで、繰り返しデータ記録を行うことができる。
【００２１】
ディスク本体２は、記録面２ａと反対側が、記録層３に記録されたデータに対応したインデックス情報を書き換え可能に記録することができるリライタブルラベル４が設けられるラベル印刷面２ｂとされている。リライタブルラベル４は、ベースフィルム１０とベースフィルム１０上に塗布されたロイコ染料層１１とロイコ染料層１１を保護する透明な保護層１２とを有し、ベースフィルム１０がディスク本体２のラベル印刷面２ｂに粘着材１３を介して貼着されることにより、ディスク本体２と一体化されている。なお、リライタブルラベル４は、ベースフィルム１０、ロイコ染料層１１、保護層１２及び粘着材１３を合わせた厚さが３００μｍ以下とされ、ＤＶＤ−ＲＷのディスク厚の規格値である１．２＋０．０３ｍｍを超えないように形成される。
【００２２】
ベースフィルム１０は、例えばＰＥＴ（polyethylene terephthalate）樹脂を用いた支持体であり、厚さを３８〜１００μｍに形成される。このベースフィルム１０は、ディスク本体２と同一形状に形成され、このベースフィルム１０上にロイコ染料が塗布される。
【００２３】
ロイコ染料とは、染料分子と顕色剤からなり、加熱冷却により発色・消色する材料である。ロイコ染料を約１７０℃以上に加熱すると染料分子と顕色剤が混合し、染料の色が見えるようになる。この混合時の温度から、急速冷却すると混合した状態で固化し発色したままとなる。一方、徐々に冷却すると染料と顕色剤がそれぞれ結晶化し消色された状態になる。本実施例では、上記加熱冷却制御により、ベースフィルム１０上のロイコ染料層１１を発色、消色させ、リライタブルラベル４の記載内容を変更するようにしている。
【００２４】
保護層１２は、ロイコ染料層１１の熱による変形、保存安定性の向上、スティッキング等から保護するためのものであり、印字適正と繰り返しの書き換え処理に対する耐性を得るために、耐熱性及び機械的強度の高い樹脂が塗布されて形成される。保護層１２を構成する樹脂としては、例えば熱硬化性樹脂、紫外線硬化型樹脂、電子線硬化型樹脂、シリコーン系樹脂などが用いられる。
【００２５】
リライタブルラベル４をディスク本体２のラベル印刷面２ｂに貼着する粘着材１３は、アクリル系のホットメルトが用いられ、後述するように、ベースフィルム上に塗布された後、ディスク本体２のラベル印刷面２ｂに熱加圧されることにより、リライタブルラベル４をディスク本体２に貼着させる。なお、シリコン系の粘着材では熱伝導率が高く、ロイコ染料を顕色させる際の加熱工程において記録層３に記録されたデジタル記録情報に悪影響を与える可能性があるため、本発明に係る光ディスク１ではアクリル系の粘着材１３を使用した。この粘着材１３は、１００〜２００μｍの厚さに形成される。
【００２６】
以上のような光ディスク１は、ディスク本体２にリライタブルラベル４が接着されることにより、ディスク本体２のラベル印刷面２ｂから順に、アクリル系の粘着材１３、ベースフィルム１０、ロイコ染料層１１、保護層１２が形成されている。
【００２７】
そして、光ディスク１は、デジタル情報データの記録を行う場合は、記録層３を構成する記録材料をレーザー光による加熱冷却制御により結晶相、非結晶相に変化させる。結晶相から非結晶相にするには、記録材料を融点（約６００℃以上）に加熱した後に、急速冷却する。逆に非結晶相から結晶相にするには、融点以下の約２００℃まで加熱した後に、徐々に冷却する。
【００２８】
また、記録層３のデータの書き換えに対応してリライタブルラベル４の印字を書き換える際には、図２に示すように、サーマルヘッドバー２０を備えたディスクドライブ装置に光ディスク１をリライタブルラベル４を上にして装着する。図３に図２に示すディスク載置部２１のＹ−Ｙ断面図を示す。この図３に示すように、光ディスク１は、ディスクドライブ装置のディスク載置部２１が、光ディスク１のデータエリアに対向する箇所に凹部２２が形成され、記録面が直接ディスク載置部と接触することが防止されている。凹部２２は、内周壁に沿ってディスク本体２の外周部を支持する支持段部２２ａが設けられている。したがって、光ディスク１は、支持段部２２ａに外周部が支持されてディスクドライブ装置に装着されることにより記録面２ａが凹部２２の底面に擦れることなく載置され、記録層３に記録されたデジタルデータの劣化、欠落等が防止されている。
【００２９】
次いで、サーマルヘッドバー２０を光ディスク１上に移動させ、リライタブルラベル４に接触させ、ロイコ染料層１１を加熱することによりロイコ染料の消色、顕色を行う。これによりリライタブルラベル４に文字や画像等、記録層１５の書き換えデータに対応したインデックス情報が印刷される。リライタブルラベル４への印刷が終了すると、サーマルヘッドバー２０は光ディスク１上から退避される。
【００３０】
ここで、上述したようにロイコ染料の発色、消色にも加熱冷却を行うが、光ディスク１は、厚さ１００〜２００μｍの粘着材１３及び厚さ３８〜１００μｍのベースフィルム１０を備えるため、ロイコ染料層１１の消色あるいは顕色のためにサーマルヘッドバー２０によって加えられた熱を断熱することができる。したがって、光ディスク１は、記録層３に熱が伝達されることがなく、記録層３に悪影響を与えることなくリライタブルラベル４のインデックス情報を書き換えることができ、また光ディスク１は、同様に光ピックアップから照射されたレーザ光によって記録層３のデジタルデータを書き換える際にも、ロイコ染料層１１側に熱が伝達されることを防ぎ、ロイコ染料層１１に悪影響を与えることなく行うことができる。
【００３１】
次いで、ディスク本体２のラベル印刷面２ｂ側にリライタブルラベル４を貼着することにより光ディスク１を製造する工程について説明する。ディスク本体２とリライタブルラベル４との接着は、図４に示すように、ホットスタンプ２３によってリライタブルラベル４をディスク本体２に熱加圧させることによって行う。
【００３２】
ホットスタンプ２３は、ディスク本体２が載置される台座２４と、リライタブルラベル４を熱加圧するスタンパ２５とを備える。スタンパ２５は、ディスク本体２及びリライタブルラベル４の形状に合わせてドーナツ状に形成され、台座２４と対向配置される。またスタンパ２５は、台座２４に近接離間できるようピストン駆動可能とされ、リライタブルラベル４をディスク本体２に所定の圧力で加圧する。また、スタンパ２５にはヒータ２６が設けられ、ヒータコントローラ２７によりホットメルト系の粘着材１３を溶融させる所定の温度に加熱される。例えばスタンパ２５は、ヒータ２６によって１２５℃〜１３５℃まで加熱された後、１５ｋｇ〜３０ｋｇの範囲の適度な圧力で、３０秒〜８０秒の範囲で光ディスク１に最適な時間だけ押圧する。これによりリライタブルラベル４は、ベースフィルム１０に塗布された粘着材１３が溶融され、ディスク本体２に貼着される。
【００３３】
またホットスタンプ２３は、台座２４にもヒータ２８及びヒータコントローラ２９が設けられている。台座２４は、リライタブルラベル４をディスク本体２に貼着する際、ヒータ２８によって例えば６０℃〜８５℃の範囲内で加熱される。これは、リライタブルラベル４をディスク本体２に熱加圧する際に、リライタブルラベル４を押圧するスタンパ２５とディスク本体２が載置される台座２４との間に温度差が生じ、リライタブルラベル４側だけが高温となることによる光ディスク１の反りを防止するためである。
【００３４】
すなわち、スタンパ２５側と台座２４との間に温度差が生じた状態でリライタブルラベル４を熱加圧させた場合でも、リライタブルラベル４をディスク本体２に貼着することができるが、貼着後、常温にて放置しておくと図５に示すように、リライタブルラベル４を外側にして光ディスク１に反りが発生する。反りの量Ｗは、光ディスク１の外周の振れ幅において振れを記録した波形のピーク−ピークをとると、表１に示すように、台座２４の温度が２０℃ではサンプルの平均が３．０ｍｍ、台座２４の温度が４０℃〜４５℃ではサンプルの平均が２．７５ｍｍ、台座２４の温度が６０℃〜６５℃ではサンプルの平均が０．２５であった。
【００３５】
【表１】
2006302432.tif 000003
【００３６】
かかる光ディスク１の反りは、ホットスタンプ２３の台座２４とスタンパ２５との間に生じた温度差により、光ディスク１のリライタブルラベル４側だけが高温となり、膨張したためと考えられる。光ディスク１に反りが生じた状態では、記録層３に記録されたデータの読み出し又は記録層３へのデータの書き込みを行う際に、光ピックアップから照射されたレーザ光が記録層３にて焦点を結ばず、正確な読み出しあるいは書き込みを行うことができなるおそれがある。
【００３７】
一方、台座２４の温度を８０℃〜８５℃とした場合、図６に示すように、貼着後に常温で放置した場合にも光ディスク１の反りの量Ｗはサンプルの平均で０ｍｍであった。これは台座２４とスタンパ２５との間の温度差が少なくなったことにより、光ディスク１のリライタブルラベル４側の膨張をディスク本体２側によって吸収するとともに、貼着前においてリライタブルラベル４に若干の反りが発生している場合にも平坦化させることができることによる。
【００３８】
このようなホットスタンプ２３を用いて光ディスク１を製造するには、先ず、台座２４の収納凹部３０に記録面２ａを下に向け、ラベル印刷面２ｂを上に向けてディスク本体２を載置する。また台座２４はヒータ２８によって予め６０℃〜８５℃の範囲で加熱されている。
【００３９】
そしてディスク本体２のラベル印刷面２ｂにリライタブルラベル４を重ねる。リライタブルラベル４には、予めベースフィルム１０にロイコ染料が塗布されることによりロイコ染料層１１が形成されるとともに、保護層１２及び粘着材１３からなる粘着材層が形成されている。これらロイコ染料層１１、保護層１２及び粘着材層の形成方法については特に限定されず、例えばエアーナイフコーティング、バリバーブレードコーティング、ピュアブレードコーティング、ロッドブレードコーティング、ショートドウェルコーティング、カーテンコーティング、ダイコーティング、グラビアコーティング等の適当な塗布方法によりロイコ染料をベースフィルム１０上に塗布、乾燥した後、さらに保護層用塗液ロイコ染料層１１上に塗布、乾燥する等の方法で形成される。またベースフィルム１０の他面側にはアクリル系のホットメルト型粘着材１３が塗布、乾燥されることにより粘着材層が形成される。
【００４０】
そして、リライタブルラベル４は、粘着材層がディスク本体２のラベル印刷面２ｂと対向するように重ねられる。その後、ホットスタンプ２３のスタンパ２５がリライタブルラベル４をディスク本体２側に熱加圧する。スタンパ２５は、予め１２５℃〜１３５℃まで加熱されており、リライタブルラベル４を１５ｋｇ〜３０ｋｇの範囲の適度な圧力で３０秒から８０秒の範囲で光ディスク１に最適な時間だけ押圧する。これによりホットメルト型の粘着材１３が溶融し、リライタブルラベル４がディスク本体２に貼着される。リライタブルラベル４の貼着後、光ディスク１を台座２４から取り外して常温下で放置した場合でも、リライタブルラベル４に反りは見られなかった。
【００４１】
このように本発明が適用された光ディスク１の製造方法では、予めホットスタンプ２３のスタンパ２５だけでなく台座２４も加熱しておくことにより、スタンパ２５と台座２４との間の温度差が少なくなるため、リライタブルラベル４側が膨張することによる光ディスク１の反りを防止することができる。
【００４２】
以上、本発明が適用された光ディスクと光ディスクの製造方法について説明したが、本発明は上記ＤＶＤ−ＲＷに対応するのみならず、ＤＶＤ＋ＲＷ、ＣＤ−ＲＷといった書き換え可能な各種光ディスクに適用することができる。
【図面の簡単な説明】
【００４３】
【図１】本発明が適用された光ディスクを示す図であり、図１（ａ）は光ディスクの平面図、図１（ｂ）は図１（ａ）に示す平面図のＸ−Ｘ断面図である。
【図２】サーマルヘッドバーによってリライタブルラベルにインデックス情報を印刷する様子を説明するための図である。
【図３】図２に示すディスク載置部のＹ−Ｙ断面図である。
【図４】ホットスタンプを示す構成図である。
【図５】反りが生じた光ディスクを示す側面図である。
【図６】本発明に係る光ディスクの製造方法を用いて製造された光ディスクを示す側面図である。
【符号の説明】
【００４４】
１  光ディスク、２  ディスク本体、３  記録層、４  リライタブルラベル、１０  ベースフィルム、１１  ロイコ染料層、１３  保護層、２０  サーマルヘッドバー、２３  ホットスタンプ、２４  台座、２５  スタンパ、２６，２８  ヒータ、３０  収納凹部、３１  支持段部
【図１】
2006302432.tif 000004
【図２】
2006302432.tif 000005
【図３】
2006302432.tif 000006
【図４】
2006302432.tif 000007
【図５】
2006302432.tif 000008
【図６】
2006302432.tif 000009